(57)【要約】【課題】本発明は、照明効果が優れる導光装置及びそれを用いる電子装置を提供することを目的とする。【解決手段】本発明に係る導光装置は、フラッシュランプを備える電子装置に用いられ、透光パネル及び前記透光パネルの周辺から垂直に延在された複数の反射側壁を備える透光カバーと、前記フラッシュランプと前記透光カバーとの間に設置され且つ前記複数の反射側壁に囲まれる光学板と、を備える。【選択図】図２
2010118345.tif 000002
【特許請求の範囲】
【請求項１】
フラッシュランプを備える電子装置に用いられる導光装置であって、
透光パネル及び前記透光パネルの周辺から垂直に延在された複数の反射側壁を備える透光カバーと、
前記フラッシュランプと前記透光カバーとの間に設置され且つ前記複数の反射側壁に囲まれる光学板と、
を備えることを特徴とする導光装置。
【請求項２】
前記反射側壁に高反射材料からなる反射フィルムが設置されるか、又は前記反射側壁が高反射材料によって形成されていることを特徴とする請求項１に記載の導光装置。
【請求項３】
前記光学板は、対向設置される入射面と出射面とを備え、前記出射面に複数のＶ型突起が設置されていることを特徴とする請求項１又は２に記載の導光装置。
【請求項４】
前記透光パネルに複数の導光穴が設置されていることを特徴とする請求項１から３のいずれか一項に記載の導光装置。
【請求項５】
前記導光装置は、前記透光カバーの反射側壁に係合する係合溝を有するフレームをさらに備え、前記反射側壁と前記係合溝との係合によって、前記光学板を前記透光カバーと前記フレームとの間に固定することを特徴とする請求項１から４のいずれか一項に記載の導光装置。
【請求項６】
前記導光装置は、前記導光装置を前記電子装置に固定させる固定素子をさらに備えることを特徴とする請求項１から５のいずれか一項に記載の導光装置。
【請求項７】
片側に設置されるフラッシュランプと、
透光パネル及び前記透光パネルの周辺から垂直に延在された複数の反射側壁を備える透光カバーと、前記フラッシュランプと前記透光カバーとの間に設置され且つ前記複数の反射側壁に囲まれる光学板と、を備えてなる導光装置と、
を備えることを特徴とする電子装置。
【発明の詳細な説明】
【技術分野】
【０００１】
本発明は、導光装置及びそれを用いる電子装置に関するものである。
【背景技術】
【０００２】
通信技術及び半導体技術の発展に従って、携帯電話、個人用携帯情報端末（ＰＤＡ）などの携帯式電子装置は広く使用されている。このような携帯式電子装置の普及に従って電子装置の性能に対する要求も高まっている。携帯電話は、一般的に通話機能及び写真機能を有する。照明機能を有しない携帯電話で夜間に写真を撮るか道を照らすことは困難である。なお、携帯電話の表示装置の微弱な光線では道を照らし難い。
【０００３】
これによって、照明機能を有する携帯電話が出現してきている。前記携帯電話のハウジングには、小型発光ダイオードランプ及び照明制御スイッチが設置されている。しかしながら、前記発光ダイオードランプの輝度が弱く、光線が拡散されるため、照明効果が悪い。
【発明の概要】
【発明が解決しようとする課題】
【０００４】
以上の問題点に鑑みて、本発明は、照明効果の優れる導光装置及びそれを用いる電子装置を提供することを目的とする。
【課題を解決するための手段】
【０００５】
前記問題を解決するために、本発明に係る導光装置は、フラッシュランプを備える電子装置に用いられ、透光パネル及び前記透光パネルの周辺から垂直に延在された複数の反射側壁を備える透光カバーと、前記フラッシュランプと前記透光カバーとの間に設置され且つ前記複数の反射側壁に囲まれる光学板と、を備える。
【０００６】
また、本発明に係る電子装置は、片側に設置されるフラッシュランプと、透光パネル及び前記透光パネルの周辺から垂直に延在された複数の反射側壁を備える透光カバーと、前記フラッシュランプと前記透光カバーとの間に設置され且つ前記複数の反射側壁に囲まれる光学板と、を備えてなる導光装置と、を備える。
【発明の効果】
【０００７】
本発明に係る導光装置と電子装置とを用いて照明する場合、フラッシュランプからの光線は導光装置の複数の突起によって集中され、且つ四辺へ伝播する光線は複数の反射側壁によって反射されて前記複数の突起に伝播するので、前記導光装置による照明効果が優れたものになり、且つ光線の利用効率も向上する。
【図面の簡単な説明】
【０００８】
【図１】本発明に係る電子装置の斜視図である。
【図２】図１の電子装置の分解図である。
【図３】図１の電子装置の他の角度からの分解図である。
【発明を実施するための形態】
【０００９】
以下、図面に基づいて、本発明の実施例に係る導光装置及びそれを用いる電子装置について詳細に説明する。
【００１０】
図１及び図２を参照すると、本実施例の電子装置３００は、導光装置１００及び本体２００を備える。前記本体２００は、略矩形であり、カメラ２１０及び前記カメラ２１０の近傍に設置されているフラッシュランプ（Ｆｌａｓｈ  Ｌａｍｐ）２１５を備える。本実施例において、前記本体２００は携帯電話であって、前記フラッシュランプ２１５は、連続点灯できるキセノンフラッシュランプである。
【００１１】
前記導光装置１００は、光学板１０と、透光カバー２０と、フレーム３０と、固定素子４０と、を備える。
【００１２】
前記光学板１０は、透明材料からなる略矩形の板体である。前記透明材料は、ポリメタクリル酸メチル（ＰＭＭＡ）、ポリカーボネート（ＰＣ）、ポリスチレン（ＰＳ）又はメタクリル酸メチル・スチレン共重合体（ＭＳ）などの中の一種又は任意の組み合わせである。前記光学板１０は、対向設置される入射面１１と出射面１２とを備える。前記出射面１２には、前記フラッシュランプ２１５からの光線を集中させる複数の長状のＶ型突起１２１が形成されている。各々のＶ型突起１２１の頂角は、６０度〜１２０度である。本実施例において、前記Ｖ型突起１２１の頂角は９０度である。
【００１３】
前記透光カバー２０は、略矩形のケースである。前記透光カバー２０は、透光パネル２１と、前記透光パネル２１の四辺から垂直に延在して形成された４つの第一反射側壁２２と、前記４つの第一反射側壁２２からさらに延在し且つ前記透光パネル２１より幅が広い４つの第二反射側壁２３と、を備える。前記光学板１０を前記透光カバー２０に収納する場合、前記光学板１０の複数のＶ型突起１２１は前記４つの第一反射側壁２２に囲まれ、前記光学板１０の他の部分は前記４つの第二反射側壁２３に囲まれる。前記第一反射側壁２２及び前記第二反射側壁２３には、高反射材料からなる反射フィルム（図示せず）が形成されている。前記反射フィルムは、前記光学板１０からの光線が前記第一反射側壁２２及び前記第二は反射側壁２３から出射されることを防止して、前記光学板１０の出射面１２から出射される光線の利用効率を向上させる。前記透光カバー２０の両側の第二反射側壁２３には、前記固定素子４０と連結する連結部２３１が形成されている。前記透光パネル２１は、透明材料からなり、前記光学板１０の複数のＶ型突起１２１を保護する。図３を参照すると、前記透光パネル２１の前記光学板１０に対向する面には、前記光学板１０からの光線を出射させる複数の導光穴２１１が形成されている。
【００１４】
前記フレーム３０の形状は、前記４つの第二反射側壁２３によって囲まれて形成される形状と大体同等である。前記フレーム３０には、前記４つの第二反射側壁２３と係合する係合溝３１が設置されている。前記フレーム３０の中空部３２の面積は前記光学板１０の入射面１１の面積より小さい。
【００１５】
前記固定素子４０は、２つの固定ベルト４１、４２からなる。各固定ベルト４１、４２の一端には、連結端部４１１、４２１がそれぞれに形成され、他端には前記固定ベルト４１、４２を互いに結合させる結合部４３がそれぞれに形成されている。本実施例において、前記固定ベルト４１、４２は帆布ベルトであり、前記結合部４３はナイロンファスナーである。
【００１６】
前記導光装置１００を組立てる場合、先ず、前記光学板１０を前記透光カバー２０の内部に配置して、前記光学板１０が前記透光カバー２０の透光パネル２１と第一反射側壁２２及び第二反射側壁２３とによって形成される空間に完全に収納されるようにする。次に、前記フレーム３０の係合溝３１と前記透光カバー２０の第二反射側壁２３とを係合（即ち、前記第二反射側壁２３を前記フレーム３０の係合溝３１に挿入）させて、前記フレーム３０を前記透光カバー２０に組み合わせる。前記フレーム３０の中空部３２の面積が前記光学板１０の入射面１１の面積より小さいので、前記光学板１０は、前記透光カバー２０から脱落せず、且つ前記透光カバー２０に確実に保持される。最後に、前記２つの固定ベルト４１、４２の連結端部４１１、４２１を前記透光カバー２０の連結部２３１にそれぞれに連結する。
【００１７】
夜間に前記電子装置３００で照明する場合、前記光学板１０が前記フラッシュランプ２１５の前方に位置するように、前記固定ベルト４１、４２及び前記結合部４３を通じて前記導光装置１００を前記本体２００に装着する。照明する時、前記フラッシュランプ２１５からの光線は前記光学板１０に入射して、前記光学板１０内で四辺へ伝播する光線は前記第一反射側壁２２及び前記第二反射側壁２３によって反射されて前記光学板１０の出射面１２のＶ型突起１２１に伝播する。前記Ｖ型突起１２１に伝播した光線は、前記Ｖ型突起１２１によって前記光学板１０に垂直する方向へ集中され、前記透光カバー２０の透光パネル２１を介して外部へ出射する。この時、前記Ｖ型突起１２１によって集中された光線は、前記透光パネル２１の導光穴２１１の導光によって前記光学板１０に垂直する方向へさらに均一に集中される。
【００１８】
照明を必要としない場合、前記固定素子４０の結合部４３を解除して前記導光装置１００を前記本体２００から取り外す。
【００１９】
本発明に係る電子装置３００は、フラッシュランプ２１５を照明光源とし、且つ導光装置１００を用いるので、他の照明光源がなくても照明効果に優れる。
【００２０】
また、前記透光カバー２０の第一反射側壁２２及び第二反射側壁２３は、アルミニウム又は他の金属などのような高反射材料からなることができる。
【００２１】
前記光学板１０の光線集中構造は、複数の長状のＶ型突起だけに限定されるものではなく、複数の長状の円弧形突起又は複数の他の突起であることもできる。
【００２２】
前記光学板１０と前記透光カバー２０とが接着されて一体に固定される場合、前記フレーム３０を省略することができる。
【００２３】
前記導光装置１００が接着されるか又は係合されて前記本体２００に固定される場合、前記固定素子４０を省略することができる。
【００２４】
以上、本発明の好適な実施例について詳細に説明したが、本発明は前記実施例に限定されるものではなく、本発明の範囲内で種々の変形又は修正が可能であり、該変形又は修正も又、本発明の技術特徴の範囲内に含まれるものである。
【符号の説明】
【００２５】
１００    導光装置
１０      光学板
１１      入射面
１２      出射面
１２１    長状突起
２０      透光カバー
２１      透光パネル
２１１    導光穴
２２      第一反射側壁
２３      第二反射側壁
２３１    連結部
３０      フレーム
３１      係合溝
３２      中空部
４０      固定素子
４１      固定ベルト
４１１    連結端部
４２      固定ベルト
４２１    連結端部
４３      結合部
２００    本体
２１０    カメラ
２１５    フラッシュランプ
３００    電子装置
【図１】
2010118345.tif 000003
【図２】
2010118345.tif 000004
【図３】
2010118345.tif 000005